(57)【特許請求の範囲】
【請求項１】
紙葉類の綴じ元側の縁部に沿って配置される基板部と、基端側が基板部に支持されるとともに先端側が当該基板部に設けた開口を介して引き出される複数の綴じ足と、前記基板部との間に紙葉類を挟み込むとともにその一部に前記綴じ足の先端側を挿し通して折り曲げることにより綴じ足を係止する綴じ足係止部とを具備し、開口より引き出される綴じ足の先端側の有効引き出し量を少なくとも短い状態から長い状態に変更可能としたものであって、
前記綴じ足が、綴じ込みに必要な所要長さを有した綴じ足本体と、この綴じ足本体の基端側に設けた基端部と、これら綴じ足本体と基端部との間を連結する樹脂ヒンジ部とからなる略Ｔ字状をなし、
前記綴じ足本体の一部に、有効引き出し量が短い状態にあるときに基板部の開口の引き出し端側の開口縁に引っ掛かる係合部を設けており、
前記基端部が前記樹脂ヒンジ部を介して首振り動作して前記綴じ足本体の側面に重合可能であり、その重合部分を綴じ足本体、基端部ともに他の部位に比して薄肉にしてあることを特徴とする綴じ具。
【請求項２】
前記基端部を前記綴じ足本体の一部を切り起こすことによって形成した請求項１記載の綴じ具。
【請求項３】
基板部に取付孔を複数設けるとともに、前記綴じ足に、基端部を一の取付孔に抜出可能に係り合わせ先端側を他の取付孔に挿し通した第１の取付状態と、基端部を前記一の取付孔から抜出させて開口たる他の取付孔に抜出し得ないように係り合わせた第２の取付状態とを選択可能にとり得るように構成して、前記第１の取付状態において、綴じ足の前記他の取付孔若しくはその近傍に位置する部位に係合部を設けている請求項２記載の綴じ具。
【請求項４】
綴じ足が、綴じ足本体の横断面形状を長手方向に沿って略一定とするものであり、係合部を、その綴じ足本体の一部を括れさせることによって形成してある請求項１、２または３記載の綴じ具。
【請求項５】
括れが、綴じ足を開口より引き出すために折り曲げる際の折り曲げ側に位置する面及び／又はその背面に施してある請求項４記載の綴じ具。
【請求項６】
綴じ足が、綴じ足本体の横断面形状を長手方向に沿って略一定とするものであり、係合部を、その綴じ足本体の一部を拡開させることによって形成してある請求項１、２または３記載の綴じ具。
【請求項７】
拡開が、綴じ足を開口より引き出すために折り曲げる際の折り曲げ側に位置する面及び／又はその背面に施してある請求項６記載の綴じ具。
【請求項８】
請求項１、２、３、４、５、６または７記載の綴じ具を表表紙と裏表紙の間の綴じ込み領域に備えていることを特徴とするファイル。
【請求項９】
請求項１、２、３、４、５、６または７記載の綴じ具を構成するために用いられるものであって、
綴じ込みに必要な所要長さを有した綴じ足本体と、この綴じ足本体の基端側に設けた基端部と、これら綴じ足本体と基端部との間を連結する樹脂ヒンジ部とからなる略Ｔ字状をなし、
前記綴じ足本体の一部に、有効引き出し量が短い状態にあるときに基板部の開口の引き出し端側の開口縁に引っ掛かる係合部を設けており、
前記基端部が前記樹脂ヒンジ部を介して首振り動作して前記綴じ足本体の側面に重合可能であり、その重合部分を綴じ足本体、基端部ともに他の部位に比して薄肉にしてある綴じ足。
【請求項１０】
請求項８記載のファイルを構成するために用いられるものであって、
綴じ込みに必要な所要長さを有した綴じ足本体と、この綴じ足本体の基端側に設けた基端部と、これら綴じ足本体と基端部との間を連結する樹脂ヒンジ部とからなる略Ｔ字状をなし、
前記綴じ足本体の一部に、有効引き出し量が短い状態にあるときに基板部の開口の引き出し端側の開口縁に引っ掛かる係合部を設けており、
前記基端部が前記樹脂ヒンジ部を介して首振り動作して前記綴じ足本体の側面に重合可能であり、その重合部分を綴じ足本体、基端部ともに他の部位に比して薄肉にしてある綴じ足。
【発明の詳細な説明】
【０００１】
【発明の属する技術分野】
本発明は、綴じ足の有効引き出し長さを適切に使用できる状態で可変にした綴じ具、この綴じ具を用いたファイル及び当該綴じ足に関するものである。
【０００２】
【従来の技術】
ファイル等に用いられる綴じ具の種類の一つとして、綴じ足を利用したものがある。この種の綴じ具は、紙葉類の綴じ元側の縁部に沿って配置される基板部と、基端側が基板部に固定されるとともに先端側が当該基板部に設けた開口を介して引き出される複数の綴じ足と、前記基板部との間に紙葉類を挟み込むとともにその一部に前記綴じ足の先端側を挿し通して折り曲げることにより綴じ足を係止する綴じ足係止部とを具備している。
【０００３】
【発明が解決しようとする課題】
ところが、従来の綴じ具は、開口より引き出される綴じ足の先端側の有効引き出し量が常に一定であるため、挟み込む紙葉類が少ないときには綴じ足を折り曲げて係止したときの余長分が多く、挟み込む紙葉類が増えるにつれてその余長分が減る。したがって、比較的多くの紙葉類を挟み込めるように綴じ足を十分に長くしておくと、挟み込む紙葉類が少ないときに綴じ足が邪魔になるという不具合がある。例えば、固定した際の綴じ足が前記縁部に直交する向きとなる仕様のものでは綴じた状態の綴じ足が書類等を見開き状態にする際の邪魔になるし、固定した際の綴じ足が前記縁部に沿う向きとなる仕様のものでは挟み込む紙葉類の量によっては紙葉類から綴じ足がはみ出して著しく見栄えが悪くなり、収納等の妨げともなる。
【０００４】
このような不具合を解消するために、例えば２本の綴じ足の基端同士を連結しておき、挟み込む紙葉類の量が少ないうちは連結状態のままで綴じ足の開口からの有効引き出し量を少なくした状態で使用するが、挟み込む紙葉類の量が増えた段階で綴じ足の基端側の連結部を切断し、切断の結果分離した２本の綴じ足の基端部をそれぞれ前記開口に引っ掛けて、開口より引き出される綴じ足の有効引き出し量が多くなるように変更できるようにした構成も考えられている。
【０００５】
しかしながら、このようにすると、有効引き出し量が短い状態にあるときに、開口から引き出された綴じ足は上から押さられることによって開口内に没入可能な状態となるため、紙葉類を挿し通す際に不安定であり、たとえ紙葉類を適正に挿し通せたとしても、綴じ足係止部を作動させる段になって綴じ足の一部が開口内に入り込んだまま係止されると紙葉類が緩んだ状態のまま綴じられ、弛みの原因になるといった作動不良も起こり易いものになる。
【０００６】
本発明は、このような課題に着目してなされたものであって、紙葉類の綴じ込み量に応じて綴じ足の余長を適正に調整することができ、同時に取扱いにも不便を生じないようにした新規有用な綴じ具、ファイル及び綴じ足を提供しようとするものである。
【０００７】
【課題を解決するための手段】
本発明は、かかる目的を達成するために、次のような構成を採用したものである。
【０００８】
すなわち、本発明の綴じ具は、紙葉類の綴じ元側の縁部に沿って配置される基板部と、基端側が基板部に支持されるとともに先端側が当該基板部に設けた開口を介して引き出される複数の綴じ足と、前記基板部との間に紙葉類を挟み込むとともにその一部に前記綴じ足の先端側を挿し通して折り曲げることにより綴じ足を係止する綴じ足係止部とを具備し、開口より引き出される綴じ足の先端側の有効引き出し量を少なくとも短い状態から長い状態に変更可能とした構造を前提とするものである。そして、その綴じ足の一部に、有効引き出し量が短い状態にあるときに基板部の開口の引き出し端側の開口縁に引っ掛かる係合部を設けたことを特徴とする。
【０００９】
このようなものであると、有効引き出し量が短い状態にあるときに、開口から引き出された綴じ足が不慮に上から押さられても、開口内に没入する動作が係合部の存在によって規制されることになる。このため、紙葉類を挿し通す際に綴じ足の安定した引き出し状態が確保され、綴じ足係止部を作動させる段階においても綴じ足の引き出し不良のために紙葉類が緩んだ状態のまま綴じられるといった作動不良を有効に防止することができる。
【００１０】
本発明の実効を担保するためには、綴じ足の基端部が、有効引出し量を短くした状態で基板部に取り付け可能かつその取付状態を当該綴じ足に紙葉類を挿し通した状態のままで解除可能とされているものが挙げられる。
【００１１】
特に、基板部に取付孔を複数設けるとともに、前記綴じ足に、基端部を一の取付孔に抜出可能に係り合わせ先端側を他の取付孔に挿し通した第１の取付状態と、基端部を前記一の取付孔から抜出させて他の取付孔に抜出し得ないように係り合わせた第２の取付状態とを選択可能にとり得るように構成しているもの、すなわち、引き出し量を反復して切替えられるようにしているものに適用して、前記第１の取付状態において、綴じ足の前記他の取付孔若しくはその近傍に位置する部位に係合部を設けているものが好ましい。
【００１２】
綴じ足が、その本体の横断面形状を長手方向に沿って略一定とするものであり、係合部を、その本体の一部を括れさせることによって形成しておくようにした場合には、上記以外の作用として、このような構造を備えないものに比べて括れ部分が折り曲げ易くなる結果、綴じ足の開口内における収まりが良好になり、引き出し部分を適正に起立させることができる作用、或いは、いまだ引き出されずに待機している綴じ足の待機部分が膨らんで弛み、不安定な取付状態の原因になったり、綴じ込みに必要な長さの一部がとられてしまうといった不都合の原因となることも有効に防止することができる。また、折り曲げ機能が損なわれなければ、括れ部分の断面は従来通りの太さとし、それ以外の部分を従来に比して太いものにすることもできるため、綴じ足の脆弱さを補う目的でこの構造を利用することにおいても有効なものとなる。
【００１３】
この括れは、綴じ足を開口より引き出すために折り曲げる際の折り曲げ側に位置する面及び／又はその背面に施しておくことが好ましい。
【００１４】
或いは、綴じ足が、その本体の横断面形状を長手方向に沿って略一定とするものであり、係合部を、その本体の一部を拡開させることによって形成しておくことも有効である。このような拡開部分を設けても、通常断面部分との境界部分が折れ曲がり易くなり、かつ拡開部分の強度が増すので、括れを設ける場合に準じた作用効果が奏されることとなる。
【００１５】
この拡開も、綴じ足を開口より引き出すために折り曲げる際の折り曲げ側に位置する面及び／又はその背面に施してあることが好ましい。
【００１６】
【発明の実施の形態】
以下、本発明の一実施形態について、図面を参照して説明する。
【００１７】
本実施形態に係る綴じ具１を用いたファイルＦは、図１及び図２に示すように、表表紙２と、表表紙２の一端を折り込んで設けた細長い板状をなす押さえ板部３と、この押さえ板部３からさらに表表紙２と反対側に折り込んで設けた背表紙４と、表表紙２とは分離した裏表紙５と、裏表紙５の一端を折り込んで設けた細長い板状をなす基板部６と、基端部７２を基板部６に取り付けてその先端部に紙葉類Ｐを挿し通すようにした１対の綴じ足７と、前記基板部６の長手方向に沿って延び前記綴じ足７をその一部に挿し通して折り曲げることにより係止するように構成した綴じ足係止部８とを具備する。なお、図１及び図２において、紙葉類Ｐは想像線で示してある。
【００１８】
表表紙２と、押さえ板部３と、背表紙４とは、１枚の紙Ｓ１を折り込んで形成してあり、折り込み部分を押さえ板部３とし、この押さえ板部３を挟んで表表紙２と背表紙４とを隣接配置している。一方、裏表紙５と基板部６とは、１枚の紙Ｓ２の端部を折り込んで形成してあり、折り込み部分を基板部６としている。さらに、裏表紙５を構成する部分を綴じ元側に開口する袋体状のものにし、前記背表紙４を挿入可能な背表紙挿入部５ａを形成している。すなわち、基板部６と押さえ板部３との間に形成される綴じ込み領域の幅を変更可能として、紙葉類Ｐを必要に応じて大量に収納できるようにしたものである。
【００１９】
勿論、このようにするためには、表表紙２を構成する部分に袋状の背表紙挿入部を形成し、裏表紙５側に背表紙４を形成して、この背表紙４を前記背表紙挿入部に挿入するように構成することも可能である。
【００２０】
綴じ足７は、図３に示すように、綴じ込みに必要な所要長さを有した綴じ足本体７１と、この綴じ足本体７１の基端側に設けた基端部７２と、これら綴じ足本体７１と基端部７２との間を連結する樹脂ヒンジ部７３とからなる略Ｔ字状のものである。綴じ足本体７１は、基本的にほぼ全域に亘って矩形に近い等断面形状をなし、一側面の一部に所定ピッチで溝７１ａを設け、他側面を緩やかに凹ませている。綴じ足本体７１の一部、具体的には前記樹脂ヒンジ部７３から所定距離（この距離は後述する内取付孔６ａと外取付孔６ｂとの離間距離にほぼ対応している）だけ先端側へ変位した位置は、折り曲げて後記の取付孔６ａから引き出す際のその折り曲げ位置に設定され、この位置近傍における綴じ足本体７１の折り曲げ側に位置する面及びその背面の一部を「く」字状に肉盗みして括れ部分７１ｂ、７１ｃを形成している。この実施形態において、折り曲げの際に内側に位置する一側面側の括れ部７１ｂは、外側に位置する他側面側の括れ部７１ｃよりも括れの幅や深さを小さく設定している。基端部７２は、綴じ足本体７１と直交する方向に延びる板状のもので、樹脂ヒンジ部７３を介して綴じ足本体７１に対し図３中矢印ａ、ｂの方向に首振り動作可能であり、Ｔ字状から、綴じ足本体７１と略平行をなして綴じ足本体７１の一側面、他側面いずれにも重合するように姿勢変更可能とされている。矢印ａ方向に首振り動作させて一側面と重合させるのはこの綴じ足７を実際に表紙体に取り付けて使用するとき（図６の状態）であり、他側面と重合するのはこの綴じ足７を外取付孔６ｂに挿し通すとき（図８の想像線で示す状態に引き続き行われる操作時）である。重合部分は、綴じ足本体７１、基端部７２ともに他の部位に比して薄肉にしてあり、これらが重合することによって全体として綴じ足本体７１の等断面部分と同じ断面をなすものである。換言すれば、この基端部７２は綴じ足本体７１の一部を切り起こすことによって形成することが可能なものである。
【００２１】
これに対して、図１に示す基板部６には、前記綴じ足７を挿し通し、また係止する役割を果たす取付孔６ａ、６ｂを複数対（ここでは２対）設けている。そして、この２対の取付孔６ａ、６ｂのうち、内側に位置する１対の内取付孔６ａが綴じ足７を綴じ込み領域側に引き出すための本発明の開口に相当し、この内取付孔６ａから綴じ足本体７１を綴じ込み領域に向けて、すなわち表表紙２に向けて挿し通すようにしている。この内取付孔６ａは、図６及び図８に示すように、綴じ足本体７１のみを挿し通し、基端部７２を挿し通さない幅及び高さ寸法を有する矩形状に形成されており、特に綴じ足本体７１の括れ部７１ｂ、７１ｃ以外の等断面部分は比較的緊密に内取付孔６ａの内周を通過し、括れ部７１ｂ、７１ｃはある程度の遊びをもってこの内取付孔６ａを通過するように設定されている。一方、外側に位置する外取付孔６ｂは、矩形状をなし、縁部と直交する辺は綴じ足本体７１及び基端部を通過させ、縁部に平行な辺は綴じ足７の基端部７２の長さよりも短く、かつこの基端部７２を綴じ足本体７１の他側面（図３中矢印ｂ方向）に重合させた状態で斜め方向から通過させ得るような寸法関係に設定されている。
【００２２】
すなわち、綴じ足７を紙葉類の綴じ元側の縁部ＰＳに沿って外取付孔６ｂに挿し通すと、その基端部７２が外取付孔６ｂに係止される。そして、綴じ足本体７１の先端側をその外取付孔６ｂから離間した位置にある内取付孔６ａに挿し通して再び表表紙２側に引き出すことによって、基板部６と押さえ板部３との間に形成される綴じ込み領域においてこの綴じ足７に紙葉類を挿し通すことができるようにしている。この綴じ足７の取付状態を、以降第１の取付状態と称することとする。この第１の取付状態において、前記括れ部７１ｂ、７１ｃは、図６、図８に示すように内取付孔６ａ内もしくはその近傍に位置するように設定してあり、その括れ部７１ｂ、７１ｃの肉厚になろうとする傾斜した部位（特に７１ｃ側）が本発明の係合部７４として機能し、その係合部７４が内取付孔６ａから引き出された部位において当該内取付孔６ａの開口縁に引っ掛かるようにしている。
【００２３】
そして、この状態から、綴じ足本体７１の引き出している部分に操作力を加えて反綴じ込み領域側（図６中矢印Ｘ側）に若干押し込み、いまだ引き出されていない待機部分７１ｘにある程度遊びのある状態にした後、基端部７２を矢印ｂ方向に首振り動作させて綴じ足本体７１の他側面に重合させ、その状態で斜め方向に外取付孔６ｂを通過させて、先端側を綴じ込み領域側に向かって矢印Ｘとは反対側に引き出すことによって、綴じ足７を基板部６から完全に引き抜くことなく基端部７２の係合先を図９に示すように内取付孔６ａに変更し、その結果、待機部分７１ｘを繰り出して有効引出し量を大きくとることができるようにしている。この綴じ足７の取付状態を、以降第２の取付状態と称することとする。
【００２４】
一方、押さえ板部３には、図２に示すように、前記内取付孔６ａと重合する位置に綴じ足７を挿し通す１対の上挿通孔３ａを設けている。そして、この押さえ板部３には、止め具３１及び止め具取付孔３ｂを介して前記綴じ足係止部８を取り付けている。
【００２５】
この実施形態における綴じ足係止部８は、図４及び図５に示すように、１対のスライダ８１を互いに抱き合わせるように係り合わせて構成されるものである。このスライダ８１には、綴じ足７を挿し通すための綴じ足挿通孔８１ａと、前記止め具３１とスライド可能かつ脱落し得ないように掛かり合わせる長孔８１ｂと、開放つまみ８１１と、閉止つまみ８１２とをそれぞれ１つずつ設けている。より具体的には、それぞれのスライダ８１の一端部には、開放つまみ８１１が設けてあり、他端部はベース部８１３を形成している。前記開放つまみ８１１の下端部の両端に爪を設け、この爪で他方のスライダ８１のベース部８１３と抱き合わせるように係り合わせている。そして、両開放つまみ８１１を相寄る方向に引き寄せることによって両スライダ８１を綴じ足を開放し得る図４の位置（すなわち綴じ足挿通孔８１ａを開放する位置）へ相対移動させるようにしている。また、前記ベース部８１３からは、幅方向の片側半分だけを開放つまみ８１１に向けて延ばして案内部８１４を形成している。そして１対のスライダ８１の案内部８１４の内面同士が向かい合うようにしてある。一方、この案内部８１４の略中央部には閉止つまみ８１２が形成してある。この閉止つまみ８１２は他方のスライダ８１をまたぐ形状をなし、両閉止つまみ８１２を相寄る方向に引き寄せることによって開放つまみ８１１が前記綴じ足挿通孔８１ａと重合してこれを閉止する図５の位置に移動して、綴じ足７を開放つまみ８１１と綴じ足挿通孔８１ａとの間で折り曲げて係止する図１に示す係止位置Ｓに係止されるようにしている。ベース部８１３には、縁部に沿って折り曲げた綴じ足７を収納する溝８１３ａが設けてある。
【００２６】
このファイルＦは以下のようにして使用する。
【００２７】
まず、図１及び図２に示すように、紙葉類Ｐの量が少ないときは綴じ足７の基端部７２を外取付孔６ｂに係り合わせた状態にして綴じ足７の有効長さを短くしておく。次いで、紙葉類Ｐの２穴パンチ等による挿通孔ＰＨに綴じ足本体７１を挿し通す。紙葉類Ｐの量が多くなったときには、綴じ足７の基端部７２と外取付孔６ｂとの係り合わせを解除して綴じ足本体７１を引き出し、前記基端部７２を内取付孔６ａに係り合わせた状態にして綴じ足７の有効長さを長くする。その後、綴じ足係止部８の綴じ足挿通孔８１ａに綴じ足本体７１を挿し通し、両閉止つまみ８１２を相寄る方向に引き寄せて綴じ足７を係止位置Ｓに係止する。綴じ足７を係止した状態の平面図を図７に示す。また、紙葉類Ｐを取り出す際には、綴じ足係止部８の両開放つまみ８１１を相寄る方向に引き寄せて綴じ足７の係止を解除する。そして、紙葉類Ｐの量が再び少なくなったときには、綴じ足本体７１を引き込んで再び綴じ足７の基端部７２を外取付孔６ｂに係り合わせた状態にして綴じ足７の有効長さを元の短い状態に戻す。
【００２８】
このようにして、本実施形態は、綴じ足７の基端部７２の取付位置を前記内取付孔６ａと前記外取付孔６ｂとの間で選択的に変更して前記内取付孔６ａと前記外取付孔６ｂとの間の距離分（待機領域７１の分）だけ綴じ足７の有効長さを延長したり、元の長さに短縮したりすることを、綴じ足７を引き抜くことなく簡単に行えるようにするものである。
【００２９】
そして、このような構成を採用するにあたり、本実施形態は、綴じ足７の一部に、有効引き出し量が短い状態にあるときに基板部６の開口たる内取付孔６ａの引き出し端側の開口縁に引っ掛かる図８に示した係合部７４を設けているため、有効引き出し量が短い状態にあるときに、内取付孔６ａから引き出された綴じ足７が同図中矢印Ｚで示すように不慮に上から押さられても、綴じ足本体７１が内取付孔６ａ内に没入する動作が係合部７４の存在によって規制され、容易には同図中想像線で示すように内取付孔６ａ内に没入することが阻止される。このため、紙葉類Ｐを挿し通す際に綴じ足７の閉じ込み領域側への安定した引き出し状態を維持しておくことができ、綴じ足係止部８を作動させる段になって綴じ足７の引き出し不良のために紙葉類Ｐが上記想像線で示すような緩んだ状態のままで綴じ込まれるといった作動不良も有効に防止することができる。
【００３０】
特に、本実施形態の綴じ足７は、その基端部７２が、有効引出し量を短くした状態で基板部６に取り付け可能かつその取付状態を当該綴じ足７に紙葉類Ｐを挿し通した状態のままで解除可能とされているため、綴じ足７を内取付孔６ａから完全に抜き取ることを極力回避して、操作を簡素にし、かつ綴じ足７が内取付孔６ａの開口縁と擦れあることにより発生する当該開口縁のへたりを有効に防止して係合部７４の機能を担保することができる。
【００３１】
とりわけ、この実施形態は、基板部６に取付孔６ａ、６ｂを複数設けるとともに、前記綴じ足７に、基端部７２を外取付孔６ｂに抜出可能に係り合わせ先端側を内取付孔６ａに挿し通した第１の取付状態と、基端部７２を外取付孔６ｂから抜出させて内取付孔６ａに抜出し得ないように係り合わせた第２の取付状態とを選択可能にとり得るように構成して、前記第１の取付状態において、綴じ足７の前記内取付孔６ａ若しくはその近傍に位置する部位に係合部７４を設けたものであり、引き出し量を反復して切替えられるようにしたものである。このため、綴じ足７の有効引き出し量を短くして使用する機会が多い本実施形態のファイルにおいて、本発明の効果は初期使用時に限らず持続的に発揮されるものとなる。
【００３２】
加えて、本実施形態は、その本体７１の横断面形状を長手方向に沿って略一定とする綴じ足本体７１に対して、係合部７４を、その本体７１の一部に括れ部７１ｂ、７１ｃを設けることによって形成するようにしているため、このような括れ構造を備えないものに比べて、この括れ部６ａ、６ｂにおいて綴じ足本体７１が折り曲げ易くなる結果、綴じ足７の内取付孔６ａ内における収まりを良好にして引き出し部分を基板部６から適正に起立させることができる作用効果や、いまだ引き出されずに待機している綴じ足７の待機部分７１ｘが弛んで綴じ込み不良の原因になったり、あるいは綴じ込みに必要な長さの一部がとられてしまうといった不都合も有効に解消することができる。また、折り曲げ機能が損なわれなければ、括れ部６ａ、６ｂの断面を従来通りの太さとし、それ以外の部分を従来に比して太いものにすることもできるため、綴じ足７の脆弱さを補う必要がある場合にこの構造を有効利用することもできる。
【００３３】
特に、これらの括れ部７１ｂ、７１ｃは、綴じ足７を内取付孔６ａより引き出すために折り曲げる際の折り曲げ側に位置する面とその背面とに施しているため、折れ曲がりの動作が惹起され易く、係合部６４も綴じ足７の弾性によって取付孔６ａの開口縁に係わり易いものになる。
【００３４】
以上、本発明の一実施形態について説明したが、各部の具体的な構成は、上述した実施形態のみに限定されるものではなく、本発明の趣旨を逸脱しない範囲で種々変形が可能である。
【００３５】
例えば、上記実施形態は、その本体の横断面形状を長手方向に沿って略一定とする綴じ足本体に対して、その本体の一部を括れさせることによって係合部を形成したが、図１０に示すように、その綴じ足本体７１の一部を肉厚化などの手法により拡開させた拡開部７１０を設けることによって、その漸次拡開する部分を係合部１７４として利用するようにしたものであってもよい。このような拡開による係合部１７４によっても、通常断面部分との境界部分が折れ曲がり易くなり、かつ拡開部分の強度が増すので、括れ部を設ける場合に準じた作用効果が奏される。
【００３６】
この拡開も、図示のように綴じ足７を開口より引き出すために折り曲げる際の折り曲げ側とは反対側の面に施すほか、折り曲げ側の面に施す態様も必要に応じて採用することができる。
【００３７】
また、係合部よりも先端側の綴じ足本体の厚みｄ１を、その基端側の綴じ足本体の厚みｄ２に比して厚肉にしておくことも有効である。後者は開口内に長期間存在することがあるのに対して、前者は経過的に綴じ足７が挿し通されるだけのものだからである。
【００３８】
【発明の効果】
本発明は、以上説明した構成であるから、紙葉類の綴じ込み量に応じて綴じ足の余長を適正に調整することができ、同時に取扱いにも不便を生じないようにした新規有用な綴じ具、ファイル及び綴じ足を提供することが可能となる。
【図面の簡単な説明】
【図１】本発明の一実施形態に係る綴じ具を用いたファイルの斜視図。
【図２】同実施形態に係る綴じ具を用いたファイルの分解斜視図。
【図３】同実施形態に係る綴じ具を用いたファイルの綴じ足を平面、側面、断面の各々で示す図。
【図４】同実施形態に係る綴じ具を用いたファイルの綴じ足係止部の開放状態を平面、側面の各々で示す図。
【図５】同実施形態に係る綴じ具を用いたファイルの綴じ足係止部の閉止状態を平面、側面の各々で示す図。
【図６】同実施形態に係る綴じ具を用いたファイルの綴じ足の取り付け部分を示す図。
【図７】同実施形態に係る綴じ具を用いたファイルの綴じ足を係止した第１の取付状態を示す図。
【図８】同実施形態の作用説明図。
【図９】同実施形態に係る綴じ具を用いたファイルの綴じ足を係止した第２の取付状態を示す図。
【図１０】本発明の他の実施形態を示す図。
【符号の説明】
Ｐ…紙葉類
６…基板部
６ａ…開口（内取付孔）
６ｂ…外取付孔
７…綴じ足
８…綴じ足係止部
７１ｂ、７１ｃ…括れ部
７４、１７４…係合部
７１０…拡開部
【図１】
0004077243.tif 000002
【図２】
0004077243.tif 000003
【図３】
0004077243.tif 000004
【図４】
0004077243.tif 000005
【図５】
0004077243.tif 000006
【図６】
0004077243.tif 000007
【図７】
0004077243.tif 000008
【図８】
0004077243.tif 000009
【図９】
0004077243.tif 000010
【図１０】
0004077243.tif 000011